【手続補正書】
【提出日】平成16年8月23日(2004.8.23)
【手続補正１】
【補正対象書類名】明細書
【補正対象項目名】全文
【補正方法】変更
【補正の内容】
【書類名】      明細書
【発明の名称】  煙草製品用硬質梱包
【特許請求の範囲】
【請求項１】  ヒンジ留めされた蓋を有する煙草製品用硬質梱包であって、底端面（７）及び裏面（９）を有するカップ状形態をなす容器（３；２６）を具備し、該容器（３；２６）が更に、前面（８）及び二つの側面（１０）を有し、これら前面（８）及び二つの側面（１０）の自由端（８ａ、１０ａ）が当該容器（３；２６）の開放端（４）を画し、前記梱包が更に、前記容器（３；２６）の前面（８）及び側面（１０）にそれぞれ連結される胸部片（１６）及び二つの側片（１７）を有する補強枠（１５）を具備し、該補強枠（１５）は、前記容器（３；２６）の前記開放端（４）から部分的に突出すると共に、蓋（５；２７）に向かうＵ字状外形の縁（１８）により最上部が画定され、該蓋（５；２７）は、同様にカップ状形態をなすと共に、頂端面（１４）と、それぞれの自由端（１１ａ、１３ａ）を有する前面（１１）及び二つの側面と、前記容器（３；２６）の裏面（９）にヒンジ線（６）を介して接続された裏面（１２）とを有し、該蓋（５；２７）は、開放位置と、前記容器（３；２６）の開放端（４）が閉じられる位置である、枠（１５）と相互作用する位置との間で回転可能であり、前記梱包が更に、前記枠（１５）と煙草製品との間に位置するクーポン（１９）を具備している梱包において、前記蓋（５；２７）が閉じた位置を占めているときに、前記容器（３；２６）の開放端（４）により与えられる自由縁（８ａ）の少なくとも一部と、前記蓋（５；２７）の自由縁（１１ａ）の一部とが、予め定められた距離だけ互いに離間されて開口部（２０）が形成され、該開口部（２０）は、前記枠（１５）の少なくとも一つの空所部分を露出するよう機能し、該空所部分は、前記クーポン（１９）の少なくとも一つの対応する部分を表に出すよう機能する、梱包。
【請求項２】  前記空所部分は、前記蓋（５；２７）の前記前面（１１）が有する自由端（１１ａ）の一部と、前記枠（１５）の前記胸部片（１６）が有するＵ字状外形の最上縁（１８）との間に囲まれた領域からなる請求項１に記載の梱包。
【請求項３】  前記空所部分は、前記枠（１５）の前記胸部片（１６）を貫通する少なくとも一つの窓（２３）からなる請求項１に記載の梱包。
【請求項４】  ヒンジ留めされた蓋を有する煙草製品用硬質梱包であって、底端面（７）及び裏面（９）を有するカップ状形態をなす容器（３；２６）を具備し、該容器（３；２６）が更に、前面（８）及び二つの側面（１０）を有し、これら前面（８）及び二つの側面（１０）の自由端（８ａ、１０ａ）が当該容器（３；２６）の開放端（４）を画し、前記梱包が更に、前記容器（３；２６）の前面（８）及び側面（１０）にそれぞれ連結される胸部片（１６）及び二つの側片（１７）を有する補強枠（１５）を具備し、該補強枠（１５）は、前記容器の前記開放端（４）から部分的に突出すると共に、蓋（５；２７）に向かうＵ字状外形の縁（１８）により最上部が画定され、該蓋（５；２７）は、同様にカップ状形態をなすと共に、頂端面（１４）と、それぞれの自由端（１１ａ、１３ａ）を有する前面（１１）及び二つの側面と、前記容器（３；２６）の裏面（９）にヒンジ線（６）を介して接続された裏面（１２）とを有し、該蓋（５；２７）は、開放位置と、前記容器（３；２６）の開放端（４）が閉じられる位置である、枠（１５）と相互作用する位置との間で回転可能である梱包において、前記梱包が、前記枠（１５）の前記胸部片（１６）と、前記容器（３；２６）が有する前記前面（８）の内側との間に差し込まれたクーポン（１９）を具備し、前記蓋（５；２７）が閉じた位置を占めているときに、前記容器（３；２６）の開放端（４）により与えられる自由縁（８ａ）の少なくとも一部と、前記蓋（５；２７）の自由縁（１１ａ）の一部とが、予め定められた距離だけ互いに離間されて開口部（２０）が形成され、該開口部（２０）は、前記クーポン（１９）の少なくとも一つの対応する部分を表に出すよう機能する、梱包。
【請求項５】  前記開口部（２０）が、前記ヒンジ線（６）と平行に延びる軸線上に整列されたほぼ長方形の帯として表れる請求項１から４までのいずれか一項に記載の梱包。
【請求項６】  前記開口部（２０）が、円弧上に整列されかつ互いに平行な縁（８ａ，１１ａ）を有する湾曲した帯として表れる請求項１から４までのいずれか一項に記載の梱包。
【請求項７】  前記開口部（２０）が、互いに平行な縁（８ａ，１１ａ）を有するＶ字状の帯として表れる請求項１から４までのいずれか一項に記載の梱包。
【請求項８】  前記開口部（２０）が、前記ヒンジ線（６）に対して斜めに延びる軸線上に整列されたほぼ長方形の帯として表れる請求項１から４までのいずれか一項に記載の梱包。
【請求項９】  前記開口部（２０）が、互いに平行な縁（８ａ，１１ａ）を有するほぼ波形の帯として表れる請求項１から４までのいずれか一項に記載の梱包。
【請求項１０】  前記開口部（２０）が、互いに平行な縁（８ａ，１１ａ）を有するほぼ多角形状の帯として表れる請求項１から４までのいずれか一項に記載の梱包。
【請求項１１】  前記開口部（２０）が、互いに平行でない縁（８ａ，１１ａ）を有するほぼ多角形状の帯として表れる請求項１から４までのいずれか一項に記載の梱包。
【請求項１２】  前記煙草製品が複数の煙草の小包で構成され、前記梱包（１）がカートン（２５）である請求項１から１１までのいずれか一項に記載の梱包。
【請求項１３】  前記煙草製品が一群の煙草で構成され、前記梱包（１）が煙草の小包（２）である請求項１から１１のいずれか一項に記載の梱包。
【発明の詳細な説明】
【０００１】
［技術分野］
本発明は煙草製品の硬質梱包に関する。
【０００２】
［背景技術］
下記の説明において、「梱包」という用語は、煙草の複数の小包を含む紙箱と、一群の煙草又は煙草製品一般を含む単一の小包との両方を意味する。
【０００３】
当該タイプの硬質梱包は、一般に、それぞれ平坦な予め折り目を付けられた型打ちブランクから形作られ、単一の梱包は容器及び蓋を具備し、この蓋は特に小包の場合には、容器の開放端を囲むように当該容器の後端にヒンジ留めされ、部分的に容器の内部に配置されそれゆえ容器の前面及び二つの側面に内部で固定される補強枠を更に具備する。
【０００４】
実務ではしだいにこれらの梱包の外側表面に、消費者向けに、広告、告知及び他の記載事項が印刷されるようになっているが、それらは明瞭に配置され、製品が販売されている様々な国の言語で表現され、かつ、さらに、異なる国の国法による要求に合致するようにケース・バイ・ケース・ベースでカスタマイズされなければならない。
【０００５】
ある国々では、梱包の外側表面に製品価格を印刷するのが通常であり、特に、大きなインフレ要因により価格変更が頻繁な国々では、梱包上に印刷される記載事項を市場条件に対応してしばしば変えて対応しなければならない。
【０００６】
これらのこと全ては、梱包を形作る型打ちブランクを国毎に、あるいは各個別国のために変えなくてはならず、結果として在庫及び製造コストが高くなるということを意味する。
【０００７】
また当該タイプの梱包を、消費者向け文字及び画像を有する差込物、すなわちカード、クーポン等を、その内部に設けて製造することも実務になっている。
【０００８】
ブランクが梱包の部品のうち最も高価なものであるので、本発明の目的は、全ての国のために単一の標準ブランクを使用すると共に、消費者向けの広告、告知及び記載事項を印刷した差込物を背景として利用することで、異なるブランクの使用を回避することにある。
【０００９】
［発明の開示］
この目的は本発明によれば、ヒンジ留めされた蓋を有する煙草製品用硬質梱包であって、底端面及び裏面を有するカップ状形態をなす容器を具備し、該容器が更に、前面及び二つの側面を有し、これら前面及び二つの側面の自由端が当該容器の開放端を画し、前記梱包が更に、前記容器の前面及び側面にそれぞれ連結される胸部片及び二つの側片を有する補強枠を具備し、該補強枠は、前記容器の前記開放端から部分的に突出すると共に、蓋に向かうＵ字状外形の縁により最上部が画定され、該蓋は、同様にカップ状形態をなすと共に、頂端面と、それぞれの自由端を有する前面及び二つの側面と、前記容器の裏面にヒンジ線を介して接続された裏面とを有し、該蓋は、開放位置と、前記容器の開放端が閉じられる位置である、枠と相互作用する位置との間で回転可能であり、前記梱包が更に、前記枠と煙草製品との間に位置するクーポンを具備している梱包において、前記蓋が閉じた位置を占めているときに、前記容器の開放端により与えられる自由縁の少なくとも一部と、前記蓋の自由縁の一部とが、予め定められた距離だけ互いに離間されて開口部が形成され、該開口部は、前記枠の少なくとも一つの空所部分を露出するよう機能し、該空所部分は、前記クーポンの少なくとも一つの対応する部分を表に出すよう機能する、梱包によって達成される。
【００１０】
以下添付図面を参照して、例示により詳細を説明する。
【００１１】
図面の図１及び２を参照すると、１は煙草製品の梱包の全体を表し、より正確には、一群の煙草（図示されていない）を包含する硬質梱包２からなり、この梱包２は、カップ状形態をなして開放頂端４を与える容器３を具備し、容器３の頂部には同様にカップ状形態をなす蓋５が載置され、この蓋５は対応するヒンジ線６に沿って容器３にヒンジ留めされ、従って開放位置（図示されていない）と、頂端４が閉じられた位置との間で回転可能になっている。
【００１２】
容器３は、底端面７、前面８、裏面９及び二つの側面１０を有し、前記前面８及び側面１０は開放頂端４、すなわち前記蓋５に向いた端、を画するそれぞれの自由頂端８ａ及び１０ａを有し、同様に、蓋５は、前面１１、裏面１２、二つの側面１３及び頂端面１４を有する。
【００１３】
蓋５の前面１１及び側面１３は、当該蓋５が閉じた位置にあるときに前記容器３に対する開放端を画するそれぞれの自由端１１ａ及び１３ａを有する。
【００１４】
単一の小包２は、一群の煙草を包む内側包装（図示されていない）を収容し、この小包２には補強枠１５が設けられ、この補強枠１５は前記小包２と前記内側包装との間に介在され従って容器３に固定される。前記枠１５は、前記容器の内部に位置する部分１５ａ及び容器の外側に開放頂端４から出ている部分１５ｂを具備する。
【００１５】
さらに正確には、枠１５は、容器３の前面８の内側と部分的に接触している胸部片１６と、容器３の側面１０の内側に部分的に固定されている二つの側部片１７とを含む。
【００１６】
枠１５の胸部片１６は、凹状外形が蓋５に向かうよう配置された「Ｕ」型の輪郭を有する縁１８によって、最上部が画定されている。
【００１７】
最後に、各小包２は、枠１５と内側包装間に差し込まれた小片ないしクーポン１９を有している。さらに正確には、その頂端が枠１５の頂縁１８を越えてように延びるように、クーポン１９が枠１５の胸部片１６の下に位置決めされると共に、容器３の前面８の内側と部分的に接触する。
【００１８】
図１の例では、ヒンジ留めされた蓋５が、容器３の開放頂端４が包囲される位置を占める場合には、蓋５の二つの側面縁１３ａは容器３の側面縁１０ａと接触するように配置され、これに対し、蓋５の前面１１が有する縁１１ａは容器３の前面８が有する縁８ａから予め決められた距離だけ離され、それにより、蓋５の前面１１の縁１１ａと、容器３の前面８の縁８ａと、前面８に接する各角縁２２の頂部に沿って形成された二つの切れ目２１とにより周縁が囲まれた開口部２０が形成されるようにする。
【００１９】
開口部２０は、枠１５が有する胸部片１６の予め決められた領域を露出するために使われ、この領域は枠１５の空所部分を構成する複数の窓２３を有し、これら空所部分は、消費者向けの文字及び画像事項が載せてあるクーポン１９の対応する部分を表に出すよう位置決めされ、それにより、このような事項を小包２に直接印刷する必要性がなくされている。
【００２０】
図２の例では、開口部２０は、枠１５のＵ字状輪郭をなす頂縁１８と合致するように位置決めされ、したがって図１の例のように枠１５には窓２３が貫通しておらず、代わりに、枠１５の空所部分は、蓋が容器３の開放頂端４を覆う位置を占めているときに、枠１５の頂縁１８と、蓋５の前面１１が有する自由縁１１ａとの間に囲まれる。
【００２１】
この例でも同様に、枠１５の空所部分は消費者向けの文字及び画像事項が載せられたクーポン１９の対応部分２４を露出するように位置決めされ、それにより、このような事項を小包２に直接印刷する必要性がなくされている。
【００２２】
図１及び２に示された例の両方とも、開口部２０はヒンジ線６と平行に延びる軸線に関してほぼ長方形の外見を呈する。
【００２３】
図３から８までの例は、図１の例のバリエーションである。とくに図３は、湾曲した開口部２０を示しており、この開口部２０は、縁８ａ，１１ａ間に囲まれた円弧の形の帯として形成され、これら縁８ａ，１１ａは互いに平行に延びると共に、それぞれが同様に円弧として形成されている。窓２３は弓状の細長い穴として現れる単一の空所からなる。
【００２４】
図４の例は、ヒンジ線６に対して斜めに延びる軸線に関してほぼ長方形の外観を有する開口部２０を示しており、この開口部２０は縁８ａ，１１ａ間に囲まれ、これら縁８ａ，１１ａは互いに平行に延びると共に、同様にヒンジ線６に対し傾斜している。一方、枠１５は例えばほぼ４角形の輪郭を有する複数の窓２３を有する。
【００２５】
図５の例は、Ｖ字形の外観を有する開口部２０を示しており、この開口部２０は縁８ａ，１１ａ間に囲まれ、これら縁８ａ，１１ａは互いに平行に延びると共に、同様にＶ字形をなし、窓２３も例えばＶ字形をなすようにすることができる。
【００２６】
図６の例は、ほぼ多角形状をなす開口部２０を示しており、この開口部２０は縁８ａ，１１ａ間に囲まれ、これら縁８ａ，１１ａは互いに平行に延びると共に、同様に多角形状をなし、窓２３を例えば三角形輪郭を有するようにすることができる。
【００２７】
図７の例は、ほぼ多角形状をなす開口部２０を示しており、この開口部２０は縁８ａ，１１ａ間に囲まれ、これら縁８ａ，１１ａは互いに平行に延びていない。とくに、一方の縁１１ａはヒンジ線６に平行に延び、他方の縁８ａは第１の縁１１ａに向かって丸まった頂点を有する山形袖章形をおおむねなしている。開口部２０は枠１５の胸部片１６の単一の窓２３を露出し、その輪郭は例えば開口部２０の輪郭とほぼ同一である。
【００２８】
図８の例は、ほぼ波形の外観をなす開口部２０を示しており、この開口部２０は縁８ａ，１１ａ間に囲まれ、これら縁８ａ，１１ａは互いに平行に延びると共に、同様に波形をなしている。この例では、枠１５の胸部片１６の窓２３は、開口部２０の輪郭とほぼ同一の波形の輪郭を有する。
【００２９】
図９及び１０の例では、梱包１は、複数の煙草の小包２を含むよう機能する硬質カートン２５からなる。カートン２５の形状は、図１及び２に示した小包２の形状と全ての面で類似しており、従って可能な限り、小包２の対応する部分を示すのに用いられた符号と同じ符号でもって、構成要素部分を示すことにする。
【００３０】
単一のカートン２５は、蓋２７が頂部に載置された容器２６を具備し、この蓋２７は対応するヒンジ線６に沿って容器にヒンジ留めされ、開放位置（図示されていない）と、容器２６の開放頂端４が閉じられた位置との間で回転可能になっており、カートン２５は更に、容器２６に固定された補強枠１５を具備し、この補強枠１５は容器２６の内部に位置する部分１５ａ及び容器２６の外側に開放頂端４から蓋２７に向けて出ている部分１５ｂを具備する。
【００３１】
枠１５の胸部片１６は、凹状輪郭が蓋２７に向かうよう配置された「Ｕ」型の輪郭を有する縁１８によって、最上部が画定されている。
【００３２】
最後に、単一のカートン２５は、枠１５と小包２間に差し込まれたクーポン１９を有している。さらに正確には、その頂端が枠１５の頂縁１８を越えてように延びるように、クーポン１９が枠１５の胸部片１６の下に位置決めされると共に、容器２６の前面８の内側と部分的に接触する。
【００３３】
小包２に関して既に説明したことを想起すると、図９に示したカートン２５は、容器２６が閉じられている位置を占める蓋２７と共に示される。蓋２７の前面１１が有する縁１１ａは容器２６の前面８が有する縁８ａから予め決められた距離だけ離され、それにより、蓋２７の縁１１ａと、容器２６の前面８の縁８ａと、前面８に接する各角縁２２の頂部に沿って形成された二つの切れ目２１とにより周縁が囲まれた開口部２０が形成されるようにする。開口部２０は、枠１５が有する胸部片１６の予め決められた領域を露出するために使われ、この領域は枠１５の空所部分を構成する複数の窓２３を有し、これら空所部分は、消費者向けの文字及び画像事項が載せてあるクーポン１９の対応する部分を表に出すよう位置決めされ、それにより、このような事項をカートン２５に直接印刷する必要性がなくされている。
【００３４】
図１０の例では、開口部２０は、枠１５のＵ字状輪郭をなす頂縁１８と合致するように位置決めされ、したがって図９の例のように枠１５には窓２３が貫通しておらず、代わりに、枠１５の空所部分は、蓋が容器２６の頂端を覆う位置を占めているときに、枠１５の頂縁１８と、蓋２７の前面１１が有する自由縁１１ａとの間に囲まれる。この例でも同様に、枠１５の空所部分は消費者向けの文字及び画像事項が載せられたクーポン１９の対応部分２４を露出するように位置決めされ、それにより、このような事項を小包２に直接印刷する必要性がなくされている。
【００３５】
図９及び１０に示した例の両方において、開口部２０はヒンジ線６と平行に延びる軸線に関してほぼ長方形の外観を有しているが、図３から８までに示した開口部の全ての実施態様を、小包２にもカートン２５にも適用可能なことは明らかである。
【００３６】
図１１の例に示した小包２は、図１の小包２と、形状に関しては類似しているが、クーポン１９が枠１５の胸部片１６と容器３の前面８の内部と、蓋５の前面１１との間に差し込まれる点で相違する。この例において、前面の二つの自由縁８ａ及び１１ａ間に囲まれる開口部２０は少なくとも、消費者が関心を寄せるクーポン１９の部分２４を表に出すので、窓２３が枠１５内にある必要はない。
【図面の簡単な説明】
【図１】
本発明に従った煙草の小包の第１の実施態様の概略斜視図である。
【図２】
本発明に従った煙草の小包の第２の実施態様の概略斜視図である。
【図３】
図１及び図２に示される煙草の小包の更なる実施態様の概略斜視図である。
【図４】
図１及び図２に示される煙草の小包の更なる実施態様の概略斜視図である。
【図５】
図１及び図２に示される煙草の小包の更なる実施態様の概略斜視図である。
【図６】
図１及び図２に示される煙草の小包の更なる実施態様の概略斜視図である。
【図７】
図１及び図２に示される煙草の小包の更なる実施態様の概略斜視図である。
【図８】
図１及び図２に示される煙草の小包の更なる実施態様の概略斜視図である。
【図９】
本発明に従った煙草の小包のための硬質カートンの、可能な二つの実施態様のうちの一つの概略斜視図である。
【図１０】
本発明に従った煙草の小包のための硬質カートンの、可能な二つの実施態様のうちの一つの概略斜視図である。
【図１１】
本発明に従った煙草の小包の第３の実施態様の概略斜視図である。